(57)【要約】【課題】本発明は、画像のアスペクト比を変換せずにモニタ上のスペースを有効利用することのできる画像表示制御装置、電子カメラ、及び画像表示制御プログラムを提供することを目的とする。【解決手段】この画像表示制御装置は、電子カメラが取得した複数の画像を電子カメラ外部のモニタに順次表示する表示手段と、前記モニタ上に同時に表示する前記画像のレイアウトを前記モニタの情報に応じて（ステップＳ２６の判断に応じて）設定する制御手段とを備える。したがって、画像の縦横比を変更していないにも拘わらず、モニタ上のスペースが有効利用される。【選択図】      図５
2006109360.tif 000002
【特許請求の範囲】
【請求項１】
電子カメラが取得した複数の画像を電子カメラ外部のモニタに順次表示する表示手段と、
前記モニタ上に同時に表示する前記画像のレイアウトを前記モニタの情報に応じて設定する制御手段と
を備えたことを特徴とする画像表示制御装置。
【請求項２】
請求項１に記載の画像表示制御装置において、
前記モニタの情報は、
前記モニタのアスペクト比の情報である
ことを特徴とする画像表示制御装置。
【請求項３】
請求項１又は請求項２に記載の画像表示制御装置において、
前記モニタの情報は、
前記モニタのサイズの情報である
ことを特徴とする画像表示制御装置。
【請求項４】
請求項１〜請求項３の何れか一項に記載の画像表示制御装置において、
前記複数の画像の各々には、
前記画像方向を示す識別情報が付与されており、
前記制御手段は、
前記モニタ上に同時に表示する前記画像のレイアウトを、前記モニタの情報と前記各画像の画像方向とに応じて設定する
ことを特徴とする画像表示制御装置。
【請求項５】
請求項１〜請求項４の何れか一項に記載の画像表示制御装置において、
前記モニタの情報を外部から取り込むインタフェース手段を更に備えた
ことを特徴とする画像表示制御装置。
【請求項６】
請求項５に記載の画像表示制御装置において、
前記インタフェース手段は、
前記モニタの情報をユーザに入力させる
ことを特徴とする画像表示制御装置。
【請求項７】
請求項５に記載の画像表示制御装置において、
前記インタフェース手段は、
前記モニタの情報を前記モニタから取り込む
ことを特徴とする画像表示制御装置。
【請求項８】
請求項１〜請求項７の何れか一項に記載の画像表示制御装置を備えた
ことを特徴とする電子カメラ。
【請求項９】
請求項８に記載の電子カメラにおいて、
撮影中の前記電子カメラの姿勢を検出するセンサと、
前記センサの出力に基づき前記撮影された画像に画像方向の識別情報を付与して記録する記録処理手段と
を備えたことを特徴とする電子カメラ。
【請求項１０】
電子カメラが取得した複数の画像を電子カメラ外部のモニタに順次表示する表示手順と、
前記モニタ上に同時に表示する前記画像のレイアウトを前記モニタの情報に応じて設定する制御手順と
を含むことを特徴とする画像表示制御プログラム。
【請求項１１】
請求項１０に記載の画像表示制御プログラムにおいて、
前記モニタの情報は、
前記モニタのアスペクト比の情報である
ことを特徴とする画像表示制御プログラム。
【請求項１２】
請求項１０又は請求項１１に記載の画像表示制御プログラムにおいて、
前記モニタの情報は、
前記モニタのサイズの情報である
ことを特徴とする画像表示制御プログラム。
【請求項１３】
請求項１０〜請求項１２の何れか一項に記載の画像表示制御プログラムにおいて、
前記複数の画像の各々には、
前記画像方向を示す識別情報が付与されており、
前記制御手順では、
前記モニタ上に同時に表示する前記画像のレイアウトを、前記モニタの情報と前記各画像の画像方向とに応じて設定する
ことを特徴とする画像表示制御プログラム。
【請求項１４】
請求項１０〜請求項１３の何れか一項に記載の画像表示制御プログラムにおいて、
前記モニタの情報を外部から取り込むインタフェース手順を更に含む
ことを特徴とする画像表示制御プログラム。
【請求項１５】
請求項１４に記載の画像表示制御プログラムにおいて、
前記インタフェース手順では、
前記モニタの情報をユーザに入力させる
ことを特徴とする画像表示制御プログラム。
【請求項１６】
請求項１４に記載の画像表示制御プログラムにおいて、
前記インタフェース手順では、
前記モニタの情報を前記モニタから取り込む
ことを特徴とする画像表示制御プログラム。
【発明の詳細な説明】
【技術分野】
【０００１】
本発明は、電子カメラで撮影した画像を電子カメラ外部のモニタに表示する画像表示制御装置、その機能が搭載された電子カメラ、コンピュータにその機能を持たせるための画像表示制御プログラムに関する。
【背景技術】
【０００２】
電子カメラの中には、ビデオ出力端子の設けられたものがある。このタイプの電子カメラを家庭用のテレビモニタに接続すれば、電子カメラで撮影した画像を大きな画面で確認することができる（特許文献１，２，３）。
このときの画像の表示方法は、ユーザが電子カメラに対し指示することができる。表示方法の中には、電子カメラのメモリに格納された複数の画像を電子カメラのボタン操作に応じて１枚ずつ順次表示させる「順送り表示」、所定のインターバル時間をおいて画像が１枚ずつ自動的に切り替えられる「自動順送り表示（スライドショー表示）」などがある。
【特許文献１】特開平１１−１７９９３号公報
【特許文献２】特開２００３−１２５２６４号公報
【特許文献３】特開平１１−１８７３３７号公報
【発明の開示】
【発明が解決しようとする課題】
【０００３】
しかしながら、電子カメラで撮影した画像のアスペクト比は、その電子カメラの撮像素子（ＣＣＤ，ＣＭＯＳ等）によって決まり、多くの場合４：３又は３：２であるのに対し、モニタのアスペクト比は、ブラウン管テレビ、ワイド画面テレビ、ハイビジョンテレビ、ＰＤＡ、パーソナルコンピュータなどにより４：３，１６：９，３：４などと様々である。
【０００４】
もしも画像のアスペクト比がモニタのアスペクト比と異なると、表示の際に画像の縦横比を変更しない限り、モニタ上の何れかの箇所に余白が生じる。特に、ワイド画面テレビのモニタは横長なので、画像の左右に生じる余白が大きくなる。
そこで本発明は、画像の縦横比を変更せずにモニタ上のスペースを有効利用することのできる画像表示制御装置、電子カメラ、及び画像表示制御プログラムを提供することを目的とする。
【課題を解決するための手段】
【０００５】
請求項１に記載の画像表示制御装置は、電子カメラが取得した複数の画像を電子カメラ外部のモニタに順次表示する表示手段と、前記モニタ上に同時に表示する前記画像のレイアウトを前記モニタの情報に応じて設定する制御手段とを備えたことを特徴とする。
請求項２に記載の画像表示制御装置は、請求項１に記載の画像表示制御装置において、前記モニタの情報は、前記モニタのアスペクト比の情報であることを特徴とする。
【０００６】
請求項３に記載の画像表示制御装置は、請求項１又は請求項２に記載の画像表示制御装置において、前記モニタの情報は、前記モニタのサイズの情報であることを特徴とする。
請求項４に記載の画像表示制御装置は、請求項１〜請求項３の何れか一項に記載の画像表示制御装置において、前記複数の画像の各々には、前記画像方向を示す識別情報が付与されており、前記制御手段は、前記モニタ上に同時に表示する前記画像のレイアウトを、前記モニタの情報と前記各画像の画像方向とに応じて設定することを特徴とする。
【０００７】
請求項５に記載の画像表示制御装置は、請求項１〜請求項４の何れか一項に記載の画像表示制御装置において、前記モニタの情報を外部から取り込むインタフェース手段を更に備えたことを特徴とする。
請求項６に記載の画像表示制御装置は、請求項５に記載の画像表示制御装置において、前記インタフェース手段は、前記モニタの情報をユーザに入力させることを特徴とする。
【０００８】
請求項７に記載の画像表示制御装置は、請求項５に記載の画像表示制御装置において、前記インタフェース手段は、前記モニタの情報を前記モニタから取り込むことを特徴とする。
請求項８に記載の電子カメラは、請求項１〜請求項７の何れか一項に記載の画像表示制御装置を備えたことを特徴とする。
【０００９】
請求項９に記載の電子カメラは、請求項８に記載の電子カメラにおいて、撮影中の前記電子カメラの姿勢を検出するセンサと、前記センサの出力に基づき、前記撮影された画像に画像方向の識別情報を付与して記録する記録処理手段とを備えたことを特徴とする。
請求項１０に記載の画像表示制御プログラムは、電子カメラが取得した複数の画像を電子カメラ外部のモニタに順次表示する表示手順と、前記モニタ上に同時に表示する前記画像のレイアウトを前記モニタの情報に応じて設定する制御手順とを含むことを特徴とする。
【００１０】
請求項１１に記載の画像表示制御プログラムは、請求項１０に記載の画像表示制御プログラムにおいて、前記モニタの情報は、前記モニタのアスペクト比の情報であることを特徴とする。
請求項１２に記載の画像表示制御プログラムは、請求項１０又は請求項１１に記載の画像表示制御プログラムにおいて、前記モニタの情報は、前記モニタのサイズの情報であることを特徴とする。
【００１１】
請求項１３に記載の画像表示制御プログラムは、請求項１０〜請求項１２の何れか一項に記載の画像表示制御プログラムにおいて、前記複数の画像の各々には、前記画像方向を示す識別情報が付与されており、前記制御手順では、前記モニタ上に同時に表示する前記画像のレイアウトを、前記モニタの情報と前記各画像の画像方向とに応じて設定することを特徴とする。
【００１２】
請求項１４に記載の画像表示制御プログラムは、請求項１０〜請求項１３の何れか一項に記載の画像表示制御プログラムにおいて、前記モニタの情報を外部から取り込むインタフェース手順を更に含むことを特徴とする。
請求項１５に記載の画像表示制御プログラムは、請求項１４に記載の画像表示制御プログラムにおいて、前記インタフェース手順では、前記モニタの情報をユーザに入力させることを特徴とする。
【００１３】
請求項１６に記載の画像表示制御プログラムは、請求項１４に記載の画像表示制御プログラムにおいて、前記インタフェース手順では、前記モニタの情報を前記モニタから取り込むことを特徴とする。
【発明の効果】
【００１４】
本発明によれば、画像の縦横比を変更せずにモニタ上のスペースを有効利用することのできる画像表示制御装置、電子カメラ、及び画像表示制御プログラムが実現する。
【発明を実施するための最良の形態】
【００１５】
［第１実施形態］
以下、図１、図２、図３、図４、図５、図６、図７、図８に基づき本発明の第１実施形態を説明する。本実施形態は、電子カメラの実施形態である。
図１は、電子カメラの使用形態を示す図である。図１に示すとおり、電子カメラ１は、ケーブル１ａを介してテレビモニタ２に接続可能である。
【００１６】
先ず、電子カメラ１の構成を説明する。
図２は、電子カメラ１のブロック図である。電子カメラ１には、撮影レンズ１１、シャッタユニット１１ａ、ＣＣＤ撮像素子１２、撮像用回路１３、画像処理回路１４、記録処理回路１５、再生処理回路１７、レリーズ釦１８、操作釦１９、制御回路１１１、センサ１１２、信号処理回路１１３、内部モニタ１１６などが備えられる。符号１６で示すのは、挿脱可能な記録メディア１６である。再生処理回路１７が請求項の表示手段に対応し、再生処理回路１７及び制御回路１１１が請求項の制御手段に対応し、操作釦１９及び内部モニタ１１６が請求項のインタフェース手段に対応し、記録処理回路１５が請求項の記録処理手段に対応する。
【００１７】
センサ１１２は、電子カメラ１の光軸周りの回転位置（姿勢）を検出する姿勢センサである。信号処理回路１１３は、センサ１１２の出力信号を制御回路１１１が認識可能な信号に変換する信号処理回路である。信号処理回路１１３を介して、制御回路１１１は電子カメラ１が取得する画像の画像方向を認識する。なお、「画像方向」とは、画像の上下左右と、その画像に写っている被写界の上下左右との対応関係を示す方向である。
【００１８】
次に、電子カメラ１の動作を説明する。なお、制御回路１１１は、操作釦１９などの操作に応じて、電子カメラ１を「撮影モード」，「設定モード」，「再生モード」などの各種のモードに設定する。ここでは、それら各モードにあるときの電子カメラ１の動作を順に説明する。
（撮影モード）
図３は、電子カメラ１の撮影モード中の動作フローチャートである。
【００１９】
撮影モード中にレリーズ釦１８が半押しされると、制御回路１１１は、撮像用回路１３に対し合焦の指示を与える。撮像用回路１３は、その指示に従い、撮影レンズ１１内の所定のレンズを駆動し、被写界の像をＣＣＤ撮像素子１２上に結像させる。
レリーズ釦１８が全押しされると（ステップＳ１１ＹＥＳ）、制御回路１１１はそれを撮影指示とみなし、撮像用回路１３に対し撮像の指示を与える。撮像用回路１３は、その指示に従い、シャッタユニット１１ａ及びＣＣＤ撮像素子１２を同期制御し、被写界の像の画像を取得する（ステップＳ１２）。
【００２０】
また、制御回路１１１は、撮影指示のあったタイミングで、信号処理回路１１３を介してセンサ１１２の出力信号を参照し、画像方向を認識すると、記録処理回路１５にその情報を与える（ステップＳ１３）。
ステップＳ１２にて取得された画像は、画像処理回路１４において必要な画像処理が施された後、記録処理回路１５に取り込まれる。記録処理回路１５は、その画像に基づき所定の規格に準拠した画像ファイルを作成する。その際、記録処理回路１５は、画像ファイルのタグ（識別子）の特定の項目「Orientation」に、画像方向を示す符号（規格に準拠）を書き込む（ステップＳ１４）。
【００２１】
（設定モード）
図４は、設定モード中に電子カメラ１の内部モニタ１１６が表示する設定画面を示す図である。なお、設定画面は、操作釦１９の操作に応じて切り替えられる。これによって設定画面は操作釦１９と共にユーザインタフェースの役割を果たす。この設定画面上でユーザは各種の選択や設定をすることができる。
【００２２】
設定画面上には、各種の項目が一覧表示される（図４（ａ））。そのうち、項目「再生表示設定」が選択されると、さらに詳細な各種の項目「順送り」，「自動順送り（スライドショー）」などが一覧表示される（図４（ａ’））。
ユーザは、それらの項目の中から所望するものを選択する。これにより、再生時の表示方法の設定が完了する。その設定内容は、後述する再生モードにて使用する情報として、制御回路１１１が記憶する。
【００２３】
また、図４（ａ）に示した項目「ビデオアウト設定」が選択されると、さらに詳細な項目「外部モニタアスペクト比」，「外部モニタレイアウト」などが一覧表示される（図４（ｂ））。
そのうち、項目「外部モニタアスペクト比」が選択されると、各種のアスペクト比を示す項目「４：３」，「１６：９」などが一覧表示される（図４（ｃ））。
【００２４】
ユーザは、それらの項目の中から、ユーザの使用するテレビモニタ２（図１参照）のアスペクト比を選択する。これにより、テレビモニタ２のアスペクト比の入力が完了する。テレビモニタ２のアスペクト比の情報は、後述する再生モードにて使用する情報として、制御回路１１１が記憶する。
また、図４（ｂ）に示した項目「外部モニタレイアウト」が選択されると、項目「マルチレイアウトＯＦＦ」，「マルチレイアウトＯＮ」が一覧表示される（図４（ｄ））。
【００２５】
ユーザは、それらの項目の中から所望するものを選択する。これにより、テレビモニタ２のレイアウトの設定が完了する。その設定内容は、以下の再生モードにて使用する情報として、制御回路１１１が記憶する。
（再生モード）
図５は、再生モード中の電子カメラ１の動作フローチャートである。図５のステップＳ２６〜３５が請求項の制御手順に対応する。
【００２６】
ここでは、表示方法として、ファイル番号順に画像が順次表示される「自動順送り表示（スライドショー表示）」が設定され、電子カメラ１がテレビモニタ２（図１参照）に接続されている場合を説明する。なお、電子カメラ１の記録メディア１６には、予め複数の画像ファイルが格納されている。複数の画像ファイルの各々には、画像方向のタグが付与されている。
【００２７】
再生モード中、ユーザからの再生の指示は、操作釦１９などを介して電子カメラ１に与えられる。
再生の指示があると（ステップＳ２１ＹＥＳ）、制御回路１１１は、「マルチレイアウトＯＮ」，「マルチレイアウトＯＦＦ」のどちらの項目が設定されているかを判断する（ステップＳ２２）。
【００２８】
「マルチレイアウトＯＦＦ」である場合（ステップＳ２２ＮＯ）、再生処理回路１７は、通常レイアウト処理ＳＡを実行する。
通常レイアウト処理ＳＡでは、再生処理回路１７は、記録メディア１６からファイル番号の若いファイルを１つだけ読み出し（ステップＳ２３）、その画像ファイルの画像をテレビモニタ２の中央に表示する（ステップＳ２４）。
【００２９】
このとき、再生処理回路１７は、その画像ファイルのタグを参照し、被写界の上側がテレビモニタ２の上側を向くよう必要に応じて画像を回転して表示する。
再生処理回路１７は、記録メディア１６に格納された全ての画像ファイルの画像を順次表示し終わるまで（ステップＳ２５ＹＥＳとなるまで）、ステップＳ２３，２４を所定のインターバル時間をおいて繰り返し実行する。
【００３０】
一方、「マルチレイアウトＯＮ」である場合（ステップＳ２２ＹＥＳ）、制御回路１１１は、テレビモニタ２のアスペクト比が１６：９であるか否かを判断する（ステップＳ２６）。
「１６：９」ではない場合（ステップＳ２６ＮＯ）、再生処理回路１７は、第１のマルチレイアウト処理ＳＢを実行し、「１６：９」である場合（ステップＳ２６ＹＥＳ）、第２のマルチレイアウト処理ＳＣを実行する。
【００３１】
第１のマルチレイアウト処理ＳＢでは、再生処理回路１７は、記録メディア１６からファイル番号の若い縦位置の画像ファイルを２つだけ読み出し（ステップＳ２７）、それら２つの画像ファイルの画像をテレビモニタ２上に横方向に並べて表示する（ステップＳ２８）。
このとき、再生処理回路１７は、各画像ファイルのタグを参照することにより縦位置の画像ファイルと横位置の画像ファイルとを峻別する。また、そのタグに基づき、前記２つの画像を被写界の上側がテレビモニタ２の上側を向くように９０°又は２７０°回転させてから表示する。
【００３２】
ここで、「縦位置の画像ファイル」とは、画像の長手方向が被写体の上下方向に対応するような画像ファイルのことを指す。
再生処理回路１７は、記録メディア１６に格納された全ての画像ファイルの画像を順次表示し終わるまで（ステップＳ２９ＹＥＳとなるまで）、ステップＳ２７，２８を所定のインターバル時間をおいて繰り返し実行する。
【００３３】
その後、再生処理回路１７は、記録メディア１６からファイル番号の若い横位置の画像ファイルを１つ読み出し（ステップＳ３０）、その画像ファイルの画像をテレビモニタ２の中央に表示する（ステップＳ３１）。
再生処理回路１７は、記録メディア１６に格納された全ての縦位置の画像ファイルの画像を順次表示し終わるまで（ステップＳ３２ＹＥＳとなるまで）、ステップＳ３０，３１を所定のインターバル時間をおいて繰り返し実行する。
【００３４】
仮に、電子カメラ１のＣＣＤ撮像素子１２のアスペクト比が４：３であり、テレビモニタ２のアスペクト比が４：３であるならば、以上の第１のマルチレイアウト処理ＳＢにより、テレビモニタ２上のレイアウトは、例えば、図６（ａ），（ｂ），・・・，図７（ａ），（ｂ），・・・のように順次切り替わる。なお、図６において、「３Ａ」，「４Ａ」，「３Ｂ」，「４Ｂ」などで示す符号は、テレビモニタ２及び画像の各部の長さ関係を示す符号である（以下の図７，図８，図９，図１１，図１２も同様）。
【００３５】
第２のマルチレイアウト処理ＳＣでは、再生処理回路１７は、記録メディア１６から縦位置、横位置に拘わらずファイル番号の若い画像ファイルを２つだけ読み出し（ステップＳ３３）、それら２つの画像ファイルの画像をテレビモニタ２上に横方向に並べて表示する（ステップＳ３４）。
このとき、再生処理回路１７は、画像ファイルのタグを参照して、それら２つの画像を被写界の上側がテレビモニタ２の上側を向くように必要に応じて回転させてから表示する。
【００３６】
再生処理回路１７は、記録メディア１６に格納された全ての画像ファイルの画像を順次表示し終わるまで（ステップＳ３５ＹＥＳとなるまで）、ステップＳ３３，３４を所定のインターバル時間をおいて繰り返し実行する。
仮に、電子カメラ１のＣＣＤ撮像素子１２のアスペクト比が４：３であるならば（テレビモニタ２のアスペクト比は１６：９）、第２のマルチレイアウト処理ＳＣにより、テレビモニタ２上のレイアウトは、例えば、図８（ａ），（ｂ），（ｃ），・・・のように順次切り替わる。
【００３７】
次に、電子カメラ１の効果を説明する。
以上説明したとおり、電子カメラ１によると、テレビモニタ２のアスペクト比に応じて、第１マルチレイアウト処理ＳＢと第２マルチレイアウト処理ＳＣとが選択的に実行される。
これらの第１マルチレイアウト処理ＳＢ，第２マルチレイアウト処理ＳＣは、図６，図７，図８に示すとおり、個々のテレビモニタ２が表示可能な、なるべく多くの画像（ここでは最大２つ）を横に並べることにより、個々のテレビモニタ２それぞれの余白を抑える。
【００３８】
したがって、画像の縦横比を変更していないにも拘わらず、テレビモニタ２上のスペースが有効利用される。
特に、テレビモニタ２が横長でないとき（アスペクト比が４：３）に実行される第１のマルチレイアウト処理ＳＢでは、縦位置の画像（つまり縦長の画像）のみを２枚並べて表示し、横位置の画像（つまり横長の画像）については１枚だけ表示するので、必要なときにのみ効果的に余白が抑えられる。
【００３９】
また、電子カメラ１は、テレビモニタ２のアスペクト比の情報をユーザに入力させるので、そのアスペクト比を自動取得するための特別な通信回路を必要としない。よって、電子カメラ１の構成がシンプルである。
また、電子カメラ１は、姿勢を検出するセンサ１１２を備え、かつそのセンサ１１２の出力に基づき各画像の画像方向を認識することができるので、第１のマルチレイアウト処理ＳＢを実行するのに適した形式で画像ファイルを作成することができる。
【００４０】
（第１実施形態の変形例）
なお、再生モード中の制御回路１１１の動作の一部又は全部は、再生処理回路１７が実行してもよく、また、再生モード中の再生処理回路１７の動作の一部又は全部は、制御回路１１１が実行してもよい。
また、図６（ａ），（ｂ）では、２枚の画像の上下と左右に若干の余白が生じるよう画像の表示倍率が設定されているが、図９（ａ）に示すように、左右の余白が無くなるよう画像の表示倍率を設定してもよい。この場合、画像の横サイズは、画面の横サイズ（４Ａ）の１／２倍（＝２Ａ）となり、画像の縦サイズは、約２．６６７Ａとなる。
【００４１】
また、図６，図７，図８では、ＣＣＤ撮像素子１２のアスペクト比が４：３である場合の例を示したが、ＣＣＤ撮像素子１２のアスペクト比が３：２である場合にも、同様のレイアウトをすることができる。因みに、ＣＣＤ撮像素子１２のアスペクト比が３：２であり、かつ、左右の余白が無くなるよう画像の表示倍率が設定されると、図９（ｂ）のとおりとなる。この場合、画像の横サイズは２Ａとなり、画像の縦サイズは３Ａとなり、上下の余白も無くなる。
【００４２】
また、本実施形態の第２のマルチレイアウト処理ＳＣでは、図８に示すとおり２枚ずつ画像を表示したが、図９（ｃ）に示すとおり３枚ずつ画像を表示してもよい。因みに、図９（ｃ）に示したのは、ＣＣＤ撮像素子１２のアスペクト比が３：２である場合の例である。
また、本実施形態の再生モード中、電子カメラ１の内部モニタ１１６上には、テレビモニタ２上の画面と全く同じ画面が表示されることが望ましい。内部モニタ１１６のアスペクト比（一般に４：３又は３：２である。）が、テレビモニタ２のアスペクト比と異なる場合には、内部モニタ１１６の上下又は左右に余白を設けることになる。
【００４３】
［第２実施形態］
以下、図１０、図１１、図１２に基づき本発明の第２実施形態を説明する。本実施形態は、電子カメラの実施形態である。ここでは、第１実施形態の電子カメラとの相違点のみ説明する。
相違点は、再生モード中の電子カメラの動作にある。
【００４４】
図１０は、本実施形態の電子カメラの再生モード中の動作フローチャートである。図１０のステップＳ２６，Ｓ４１〜Ｓ４３’が請求項の制御手順に対応する。
図５に示した動作フローチャートとの相違点は、第１のマルチレイアウト処理ＳＢに代えて第１のマルチレイアウト処理ＳＤが実行され、第２のマルチレイアウト処理ＳＣに代えて第２のマルチレイアウト処理ＳＥが実行される点にある。以下、第１のマルチレイアウト処理ＳＤ、第２のマルチレイアウト処理ＳＥを順に説明する。
【００４５】
第１のマルチレイアウト処理ＳＤでは、再生処理回路１７は、記録メディア１６からファイル番号の若い画像ファイルを１つだけ読み出すと共に、その前後の所定数（例えば１０個）の画像ファイルのサムネイル画像の情報を読み出し（ステップＳ４１）、画像ファイルの画像（非サムネイル画像）をテレビモニタ２上の左側の領域に表示すると共に、所定数のサムネイル画像をテレビモニタ２上の右側の領域に一覧表示する（ステップＳ４２）。
【００４６】
このとき、再生処理回路１７は、各画像ファイルのタグを参照して、非サムネイル画像及び各サムネイル画像を、被写界の上側がテレビモニタ２の上側を向くように必要に応じて回転させてから表示する。
再生処理回路１７は、記録メディア１６に格納された全ての画像ファイルの非サムネイル画像を順次表示し終わるまで（ステップＳ４３ＹＥＳとなるまで）、ステップＳ４１，４２を所定のインターバル時間をおいて繰り返し実行する。
【００４７】
以上のような第１のマルチレイアウト処理ＳＤにより、テレビモニタ２上のレイアウトは、例えば、図１１（ａ），（ｂ），・・・のように順次切り替わる。なお、図１１（ａ）は、１番目の非サムネイル画像の表示中の様子を、図１１（ｂ）は、４番目の非サムネイル画像の表示中の様子を示した。また、図１１では、表示中の各サムネイル画像のうち、表示中の非サムネイル画像に対応するものが強調されている（強調は、例えば、太線で囲う、赤などの目立つ色線で囲うことなどにより実現する。）。
【００４８】
第２のマルチレイアウト処理ＳＥでは、記録メディア１６からファイル番号の若い画像ファイルを１つだけ読み出すと共に、その前後の所定数（例えば２０個）の画像ファイルのサムネイル画像の情報を読み出し（ステップＳ４１’）、画像ファイルの画像（非サムネイル画像）をテレビモニタ２上の左側の領域に表示すると共に、所定数のサムネイル画像をテレビモニタ２上の右側の領域に一覧表示する（ステップＳ４２’）。
【００４９】
このとき、再生処理回路１７は、各画像ファイルのタグを参照して、非サムネイル画像及び各サムネイル画像を、被写界の上側がテレビモニタ２の上側を向くように必要に応じて回転させてから表示する。また、ステップＳ４１’，４２’により一覧表示されるサムネイル画像の数（例えば２０）は、前述したステップＳ４１，４２により一覧表示されるサムネイル画像の数（例えば１０）よりも多い。
【００５０】
再生処理回路１７は、記録メディア１６に格納された全ての画像ファイルの非サムネイル画像を順次表示し終わるまで（ステップＳ４３’ＹＥＳとなるまで）、ステップＳ４１’，４２’を所定のインターバル時間をおいて繰り返し実行する。
以上のような第２のマルチレイアウト処理ＳＥにより、テレビモニタ２上のレイアウトは、例えば、図１２（ａ），（ｂ），・・・のように順次切り替わる。なお、図１２（ａ）は、１番目の非サムネイル画像の表示中の様子を、図１２（ｂ）は、４番目の非サムネイル画像の表示中の様子を示した。また、図１２では、表示中の各サムネイル画像のうち、表示中の非サムネイル画像に対応するものが強調されている（強調は、例えば、太線で囲う、赤などの目立つ色線で囲うことなどにより実現する。）。
【００５１】
以上、本実施形態の第１のマルチレイアウト処理ＳＤ，第２のマルチレイアウト処理ＳＥは、図１１，図１２に示すとおり、１つの非サムネイル画像の横に複数のサムネイル画像を一覧表示するものである。
これらの第１のマルチレイアウト処理ＳＤ，第２のマルチレイアウト処理ＳＥは、図１１，図１２に示すとおり、個々のテレビモニタ２が表示可能な、なるべく多くのサムネイル画像（ここでは、最大２０個）を一覧表示することにより、個々のテレビモニタ２それぞれの余白を抑える。
【００５２】
したがって、第１実施形態と同様に、画像の縦横比を変更していないにも拘わらず、テレビモニタ２上のスペースが有効利用される。
（第２実施形態の変形例）
なお、図１１，図１２では、サムネイル画像の表示領域が、テレビモニタ２の右半分の領域に固定されているが、同時に表示される非サムネイル画像が縦位置であるか横位置であるかに応じて変化させてもよい。
【００５３】
また、本実施形態のマルチレイアウト処理と第１実施形態のマルチレイアウト処理とのうち所望する方をユーザが選択して設定できるよう電子カメラを変形してもよい。その場合、内部モニタ１１６の設定画面の「外部モニタレイアウト」の詳細な項目（図４（ｄ））を、「マルチレイアウト」，「サムネイル・マルチレイアウト」，「通常レイアウト」などとし、それら３項目の中から１つをユーザに選択させればよい。
【００５４】
［第３実施形態］
以下、図１３、図１４に基づき本発明の第３実施形態を説明する。本実施形態は、電子カメラの実施形態である。ここでは、第１実施形態の電子カメラとの相違点のみ説明する。
相違点は、テレビモニタ２のアスペクト比の情報をユーザに入力させる代わりに、電子カメラが外部と通信をしてその情報を取得する点と、電子カメラがアスペクト比の情報と共にテレビモニタ２のサイズの情報を取得する点とにある。
【００５５】
図１３は、本実施形態の電子カメラ３のブロック図である。
電子カメラ３は、通信回路２９を備え、その通信回路２９を介して、同じ規格の通信回路を備えたテレビモニタ２に接続される。この通信回路２９が、請求項のインタフェース手段に対応する。電子カメラ３がテレビモニタ２に接続されると、制御回路１１１は、通信回路２９を介してテレビモニタ２のアスペクト比とサイズの情報を自動的に取得する。
【００５６】
このように情報が自動的に取得される本実施形態では、情報をユーザに入力させる必要が無いので、設定画面中の「外部モニタアスペクト比」の項目（図４（ｂ），（ｃ）参照）は不要となる。
図１４は、本実施形態の電子カメラ３の再生モード中の動作フローチャートである。
図５に示した動作フローチャートとの相違点は、テレビモニタ２のサイズを参照し（ステップＳ５０）、そのサイズが８インチ未満であったときには、アスペクト比に拘わらず通常レイアウト処理ＳＡが実行される点にある。その他の処理は、図５のそれと同じである。なお、図１４では、通常レイアウト処理ＳＡ、第１のマルチレイアウト処理ＳＢ、第２のマルチレイアウト処理ＳＣをそれぞれ単一のブロックで表した。
【００５７】
以上、本実施形態の電子カメラ３は、電子カメラ３が情報を自動的に取得するので、ユーザによる情報入力の手間が省ける。
また、本実施形態の電子カメラ３は、テレビモニタ２のアスペクト比だけでなくサイズの情報も取得し、そのサイズが或る程度以上大きいときにのみ、マルチレイアウト処理が実行されるので、テレビモニタ２上の画像が小さくなりすぎて見にくくなることを防げる。
【００５８】
（第３実施形態の変形例）
なお、本実施形態では、電子カメラ３がテレビモニタ２に直接接続されるよう構成されたが、家電ネットワークを介して接続されるよう構成されてもよい。家電ネットワークを経由して同じ情報を取得すれば、本実施形態と同じ効果が得られる。
また、本実施形態の電子カメラ３は、第１実施形態の電子カメラ１を変形したものであるが、第２実施形態の電子カメラを同様に変形してもよい。
【００５９】
また、本実施形態の電子カメラ３は、アスペクト比の情報とサイズの情報との双方を取得したが、何れか一方のみとしてもよい。また、一方の情報を第１実施形態と同様にユーザが入力することとしてもよい。
［各実施形態の変形例］
なお、上記各実施形態においては、スチル画像を取得するタイプの電子カメラを前提に説明したが、動画像を取得することの可能な電子カメラにも同様に本発明は適用可能である。その場合、テレビモニタ２上の同時に表示される複数の画像の一部を、動画像にしてもよい。また、その動画像を、電子カメラがリアルタイムで撮影中の動画像（スルー画像）にしてもよい。
【００６０】
また、上記各実施形態においてテレビモニタ２に表示すべき画像は、電子カメラに装着された記録メディア１６から読み出された画像であるが、テレビモニタ２に装着された記録メディアから読み出された画像であってもよい。なお、メモリスロット付きのテレビモニタは、既に実用化されている。
また、上記各実施形態は、電子カメラの実施形態であるが、電子カメラの上述した再生に関わる機能の一部又は全部（制御回路１１１，再生処理回路１７などの機能の一部又は全部）を、テレビモニタ２の側に搭載してもよい。
【００６１】
また、上記各実施形態においては、画像の表示対象をテレビモニタとしたが、コンピュータのモニタなど、他のモニタであってもよい。
コンピュータのモニタとする場合、上述した再生に関わる動作の一部又は全部（制御回路１１１，再生処理回路１７などの動作の一部又は全部）を、コンピュータに実行させてもよい。また、それをコンピュータに実行させるためのプログラム（請求項の画像表示制御プログラムに対応。）は、記録媒体やインターネットなどを介してコンピュータに予めインストールされる。
【図面の簡単な説明】
【００６２】
【図１】第１実施形態の電子カメラ１の使用形態を示す図である。
【図２】第１実施形態の電子カメラ１のブロック図である。
【図３】第１実施形態の電子カメラ１の撮影モード中の動作フローチャートである。
【図４】第１実施形態の電子カメラ１の設定画面を示す図である。
【図５】第１実施形態の電子カメラ１の再生モード中の動作フローチャートである。
【図６】第１のマルチレイアウト処理ＳＢによるレイアウトを示す図である。
【図７】第１のマルチレイアウト処理ＳＢによるレイアウトを示す図である。
【図８】第２のマルチレイアウト処理ＳＣによるレイアウトを示す図である。
【図９】第１実施形態の変形例を示す図である。
【図１０】第２実施形態の電子カメラの再生モード中の動作フローチャートである。
【図１１】第１のマルチレイアウト処理ＳＤによるレイアウトを示す図である。
【図１２】第２のマルチレイアウト処理ＳＥによるレイアウトを示す図である。
【図１３】第３実施形態の電子カメラ３のブロック図である。
【図１４】第３実施形態の電子カメラ３の再生モード中の動作フローチャートである。
【符号の説明】
【００６３】
１，３  電子カメラ
１ａ  ケーブル
１１  撮影レンズ
１１ａ  シャッタユニット
１２  ＣＣＤ撮像素子
１３  撮像用回路
１４  画像処理回路
１５  記録処理回路
１７  再生処理回路
１１１  制御回路
１１２  センサ
１１３  信号処理回路
１１６  内部モニタ
１８  レリーズ釦
１９  操作釦
１６  記録メディア
２９  通信回路
【図１】
2006109360.tif 000003
【図２】
2006109360.tif 000004
【図３】
2006109360.tif 000005
【図４】
2006109360.tif 000006
【図５】
2006109360.tif 000007
【図６】
2006109360.tif 000008
【図７】
2006109360.tif 000009
【図８】
2006109360.tif 000010
【図９】
2006109360.tif 000011
【図１０】
2006109360.tif 000012
【図１１】
2006109360.tif 000013
【図１２】
2006109360.tif 000014
【図１３】
2006109360.tif 000015
【図１４】
2006109360.tif 000016